【手続補正書】
【提出日】平成20年8月21日(2008.8.21)
【手続補正１】
【補正対象書類名】明細書
【補正対象項目名】発明の名称
【補正方法】変更
【補正の内容】
【発明の名称】試薬管理方法および分析装置
【手続補正２】
【補正対象書類名】明細書
【補正対象項目名】特許請求の範囲
【補正方法】変更
【補正の内容】
【特許請求の範囲】
【請求項１】ある測定項目を測定するために試薬キットの試薬液を反応容器に分注する分析装置の試薬キットの残テスト数を監視する試薬管理方法において、複数の試薬キットのバーコードを順次読み取って、最大使用可能テスト数を含む識別情報を取得するとともに、各試薬キットの位置情報を取得し、所定の位置情報に対応する試薬キットの残テスト数を試薬キットの試薬液分注毎に１減算し、残テスト数が０になると警告を出力することを特徴とする試薬管理方法。
【請求項２】請求項１記載の方法において、残テスト数が０である試薬キットに対しては、試薬分注器による分注動作を不作動にすることを特徴とする試薬管理方法。
【請求項３】請求項１または２に記載の方法において、試薬キット毎に残テスト数を出力することを特徴とする試薬管理方法。
【請求項４】請求項１から３の何れか１つに記載の方法において、各試薬キットの位置情報と識別情報を対応付けた試薬キット情報ファイルを作成することを特徴とする試薬管理方法。
【請求項５】請求項１から４の何れか１つに記載の方法において、試薬設置場所のカバーを開け、試薬キットを試薬設置場所に設置し、前記カバーを締めることにより、自動的に試薬キットのバーコードを順次読み取ることを特徴とする試薬管理方法。
【請求項６】ある測定項目を測定するために試薬キットの試薬液を反応容器に分注する分析装置の試薬キットの開封後有効期限を監視する試薬管理方法において、複数の試薬キットのバーコードを順次読み取って、識別情報を取得し、試薬キットの識別情報と開封後有効期限が蓄積された識別情報ファイルに、前記識別情報が蓄積されていない場合、前記識別情報と開封後有効期限を識別情報ファイルに登録し、前記識別情報ファイルを記憶することを特徴とする試薬管理方法。
【請求項７】ある測定項目を測定するために試薬キットの試薬液を反応容器に分注する分析装置の試薬キットの残テスト数を監視する試薬管理方法において、複数の試薬キットのバーコードを順次読み取って、識別情報を取得するとともに、各試薬キットの位置情報を取得し、識別情報と位置情報が蓄積された試薬キット情報ファイルに、前記識別情報が蓄積されていない試薬キットについては、その試薬キットの試薬液を用いたキャリブレーションの指示を出力することを特徴とする試薬管理方法。
【請求項８】
ある測定項目を測定するための試薬キットと、
複数の試薬キットを載置可能な試薬ラックと、
試薬ラックに載置された複数の試薬キットのバーコードを順次読み取ることにより試薬キットの最大使用可能テスト数を含む識別情報を取得するバーコードリーダと、
表示部と、
各試薬キットのバーコードを読み取ることによって得られた識別情報および試薬ラック内の位置情報に基づいて、所定の位置情報に対応する試薬キットの残テスト数を、試薬キットの試薬分注毎に１減算し、残テスト数が０になると表示部に警告を出力する制御部と、を備える分析装置。
【請求項９】
複数の試薬キットを載置可能な試薬ラックに載置された試薬キットのバーコードを、バーコードリーダが移動して順次読み取ることにより各試薬キットの識別情報を取得するとともに、試薬ラックに載置された各試薬キットの位置情報を取得する請求項８に記載の分析装置。
【請求項１０】制御部は、試薬キット毎に残テスト数を表示部に出力する請求項８または９に記載の分析装置。
【請求項１１】
制御部は、試薬ラック内の位置情報と識別情報を対応付けた試薬キット情報ファイルを作成する請求項８から１０の何れか１つに記載の分析装置。
【請求項１２】
試薬ラックは開閉可能なカバーと、
カバーが開閉されたことを検知する検知部とをさらに備え、
制御部は、試薬ラックのカバーが閉じられたことを検知部が検知したとき、試薬ラックに載置された複数の試薬キットのバーコードを順次読み取るようバーコードリーダを制御する請求項８から１１の何れか１つに記載の分析装置。
【請求項１３】
ある測定項目を測定するための試薬キットと、
複数の試薬キットを載置可能な試薬ラックと、
試薬ラックに載置された複数の試薬キットのバーコードを順次読み取ることにより試薬キットの識別情報を取得するバーコードリーダと、
少なくとも各試薬キットの識別情報と開封後有効期限が蓄積された識別情報ファイルを記憶するメモリと、
バーコードリーダにより得られる各試薬キットの識別情報が、識別情報ファイルに蓄積されていない場合、前記識別情報と開封後有効期限を識別情報ファイルに登録し、前記識別情報ファイルをメモリに記憶させる制御部と、を備える分析装置。
【請求項１４】
ある測定項目を測定するための試薬キットと、
複数の試薬キットを載置可能な試薬ラックと、
試薬ラックに載置された複数の試薬キットのバーコードを順次読み取ることにより試薬キットの識別情報を取得するバーコードリーダと、
表示部と、
少なくとも各試薬キットの識別情報と試薬ラック内の位置情報が蓄積された試薬キット情報ファイルを記憶するメモリと、
各試薬キットのバーコードを読み取ることによって得られた識別情報が、試薬キット情報ファイルに蓄積されていない試薬キットについては、各試薬キットのバーコードを読み取ることによって得られた試薬ラック内の位置情報に基づいて、その試薬キットの試薬液を用いたキャリブレーションの指示を出力する制御部と、を備える分析装置。
【手続補正３】
【補正対象書類名】明細書
【補正対象項目名】０００５
【補正方法】変更
【補正の内容】
【０００５】
【課題を解決するための手段】この発明は、ある測定項目を測定するために試薬キットの試薬液を反応容器に分注する分析装置の試薬キットの残テスト数を監視する試薬管理方法において、複数の試薬キットのバーコードを順次読み取って、最大使用可能テスト数を含む識別情報を取得するとともに、各試薬キットの位置情報を取得し、所定の位置情報に対応する試薬キットの残テスト数を試薬キットの試薬液分注毎に１減算し、残テスト数が０になると警告を出力することを特徴とする試薬管理方法を提供するものである。
【手続補正４】
【補正対象書類名】明細書
【補正対象項目名】０００７
【補正方法】変更
【補正の内容】
【０００７】
この発明の管理方法では、残テスト数が０である試薬キットに対しては、試薬分注器による分注動作を不作動にしてもよい。複数の試薬キットのバーコードを順次読み取って、識別情報を取得し、試薬キットの識別情報と開封後有効期限が蓄積された識別情報ファイルに、前記識別情報が蓄積されていない場合、前記識別情報と開封後有効期限を識別情報ファイルに登録し、前記識別情報ファイルを記憶するようにしてもよい。
【手続補正５】
【補正対象書類名】明細書
【補正対象項目名】０００８
【補正方法】変更
【補正の内容】
【０００８】
複数の試薬キットのバーコードを順次読み取って、識別情報を取得するとともに、各試薬キットの位置情報を取得し、識別情報と位置情報が蓄積された試薬キット情報ファイルに、前記識別情報が蓄積されていない試薬キットについては、その試薬キットの試薬液を用いたキャリブレーションの指示を出力するようにしてもよい。
【手続補正６】
【補正対象書類名】明細書
【補正対象項目名】０００９
【補正方法】変更
【補正の内容】
【０００９】
複数の試薬キットのバーコードを順次読み取って、最大使用可能テスト数を含む識別情報を取得するとともに、各試薬キットの位置情報を取得し、所定の位置情報と識別情報を対応付けた各試薬キットの位置情報と識別情報を対応付けた試薬キット情報ファイルを作成するようにしてもよい。
【手続補正７】
【補正対象書類名】明細書
【補正対象項目名】００１０
【補正方法】変更
【補正の内容】
【００１０】
試薬設置場所のカバーを開け、試薬キットを試薬設置場所に設置し、前記カバーを締めることにより、自動的に試薬キットのバーコードを順次読み取るようにしてもよい。